(57)【要約】【課題】生鮮食品、加工食品、血液又は植物を長期保存できる静電場を造りだすとともに、静電場処理装置の操作の容易化、保守管理作業の効率化、異常発生時に品質低下を生じさせない静電場処理装置を提供することである。【解決手段】静電場を創り出す冷蔵保管庫であって、電気駆動部を静電場内に設置せず、静電場環境に影響を与える要素に係る情報の表示をするとともに、押圧操作により静電場環境に影響を与える要素の設定値の調整を行うことができるタッチパネルと、静電場処理装置の各構成要素を制御する制御部と、異常が発生時の迅速対応を可能とする自動通報装置及び音声告知装置と、静電場を照射するＬＥＤ照明と、を含む構成要素からなる静電場環境を調整・表示するためのタッチパネルを具備した静電場処理装置によって課題を実現できた。【選択図】  図１
0003165951.tif 000002
【実用新案登録請求の範囲】
【請求項１】
静電場発生電源を備えた冷蔵保管庫と、前記静電場発生電源に接続させて冷蔵保管庫内に配設した電極と、前記冷蔵保管庫内に設置するものであって前記電極との接続部を備えた収納具と、前記収納具を絶縁状態に保持する絶縁体と、前記冷蔵保管庫の外面に配設され、静電場環境に影響を与える要素に係る情報を表示する情報表示部の画面域と、前記要素に係る設定値を押圧操作により設定可能な操作釦表示画面域と、同一画面には詳細表示ができない静電場環境に影響を与える要素に係る情報を表示する情報表示部の画面域及び／又は前記要素に係る設定値を押圧操作により設定可能な操作釦表示画面域の画面に、押圧操作により画面を切換える要素選択釦の表示画面域と、を同一画面に表示するタッチパネルと、前記冷蔵保管庫内で前記タッチパネルに近設させた、静電場処理装置の各構成要素を制御する制御部と、を含む構成要素からなることを特徴とする静電場環境を調整・表示するためのタッチパネルを具備した静電場処理装置。
【請求項２】
静電場発生電源及び電気機器電源を備えた冷蔵保管庫と、前記静電場発生電源及び電気機器電源からの電源コードを前記冷蔵保管庫内に導入する、前記冷蔵保管庫内に配設された配線ボックスと、前記静電場発生電源に配線ボックスを介して接続させて冷蔵保管庫内に配設した電極と、収納容器と電気機器本体とからなる電気機器の電気機器本体に絶縁体を介して取り付けられ、電極との接続部を備える収納容器、及び前記電気機器用電源に配線ボックスを介して接続させた電気機器本体を有して冷蔵保管庫内に配設された電気機器と、前記冷蔵保管庫の外面に配設され、静電場環境に影響を与える要素に係る情報を表示する情報表示部の画面域と、前記要素に係る設定値を押圧操作により設定可能な操作釦表示画面域と、同一画面には詳細表示ができない静電場環境に影響を与える要素に係る情報を表示する情報表示部の画面域及び／又は前記要素に係る設定値を押圧操作により設定可能な操作釦表示画面域の画面に、押圧操作により画面を切換える要素選択釦の表示画面域と、を同一画面に表示するタッチパネルと、前記冷蔵保管庫内で前記タッチパネルに近設させた、静電場処理装置の各構成要素を制御する制御部と、を含む構成要素からなることを特徴とする静電場環境を調整・表示するためのタッチパネルを具備した静電場処理装置。
【請求項３】
過電流による瞬間停止などの予め定めた異常が発生した情報を、専用回線を介して前記制御部から受信したときに、予め設定した内容を予め設定した受信端末に送信する自動通報装置を配設したことを特徴とする請求項１又は２に記載の静電場環境を調整・表示するためのタッチパネルを具備した静電場処理装置。
【請求項４】
過電流による瞬間停止や、冷蔵保管庫の扉の閉め忘れなどの予め定めた異常が発生した情報を受信した前記制御部により、ブザー又は予め設定した音声をスピーカーにより通報する音声告知装置を冷蔵保管庫の外面又は内側に配設したことを特徴とする請求項１乃至３のいずれかに記載の静電場環境を調整・表示するためのタッチパネルを具備した静電場処理装置。
【請求項５】
前記静電場を照射する赤色ＬＥＤ及び／又は青色ＬＥＤを配設し、前記タッチパネル操作により、前記赤色ＬＥＤと青色ＬＥＤのそれぞれの点灯又は消灯を制御できることを特徴とする請求項１乃至４のいずれかに記載の静電場環境を調整・表示するためのタッチパネルを具備した静電場処理装置。
【請求項６】
前記収納具を絶縁状態に保持する絶縁体及び／又は前記電気機器の収納容器を絶縁状態に保持する絶縁体が、小型絶縁碍子であることを特徴とする請求項１乃至５のいずれかに記載の静電場環境を調整・表示するためのタッチパネルを具備した静電場処理装置。
【請求項７】
前記電気機器が、振とう機本体と振とう容器からなる振とう機であることを特徴とする請求項１乃至６のいずれかに記載の静電場環境を調整・表示するためのタッチパネルを具備した静電場処理装置。
【請求項８】
前記タッチパネルに表示される操作釦が、電場設定、温度設定、湿度設定及び赤色ＬＥＤや青色ＬＥＤの照明の入り切りの中から少なくとも１つ以上の操作釦からなることを特徴とする請求項１乃至７のいずれかに記載の静電場環境を調整・表示するためのタッチパネルを具備した静電場処理装置。
【請求項９】
前記タッチパネルに表示される情報が、冷蔵保管庫内の温度、湿度、電場、冷蔵保管庫の扉開閉履歴、過電流による瞬間停止、及び冷蔵保管庫の扉の閉め忘れなど中から少なくとも１つ以上の表示を設定することを特徴とする請求項１乃至８のいずれかに記載の静電場環境を調整・表示するためのタッチパネルを具備した静電場処理装置。
【考案の詳細な説明】
【技術分野】
【０００１】
本考案は、生鮮食品、加工食品、植物、臓器、血液又は細菌などの長期に保存したい冷蔵保存物を冷蔵保存するための静電場処理装置に関する。
【背景技術】
【０００２】
冷蔵保管庫内に静電場を発生させて冷蔵保存物の鮮度を保ったまま長期保存できることを狙った静電場処理装置として、高圧トランスからの高電圧を、電極を介して周囲から電気的に絶縁された冷蔵保存物を処理するようにした静電場処理装置において、前記高圧トランスのノイズ除去回路を前記冷蔵保存物が収納されるケーシングに接続した静電場処理装置に関する技術が開示されている（例えば、特許文献１参照。）。
【０００３】
また、被処理体を電気的に絶縁状態に設置し、高電圧が印加された電極を介して被処理体を電場処理するための静電場処理装置において、前記静電場処理装置に遠赤外線放射体光触媒及び超音波のうち、少なくとも１つのものを組み合わせ適用した静電場処理装置に関する技術が開示されている（例えば、特許文献２参照。）。
【０００４】
さらに、米を格納するための米室及びワインを格納するためのワイン室の少なくとも１室を有し、この室内を静電場雰囲気とした冷蔵保管庫としての静電場処理装置に関する技術が開示されている（例えば、特許文献３参照。）。
【先行技術文献】
【特許文献】
【０００５】
【特許文献１】特開２０００−１１６５３５号公報
【特許文献２】特開平１１−３４６７３５号公報
【特許文献３】特開２０００−２９７９７６号公報
【考案の概要】
【考案が解決しようとする課題】
【０００６】
しかし、特許文献１乃至特許文献３に記載の考案のうちいずれの考案も、静電場発生電源の電圧調整を手指で調整つまみを回してゆかねばならず微小な調整ができにくいという問題があった。
【０００７】
また、静電場処理装置の庫内の温度は温度計、湿度は湿度計、又は電圧は電圧計で表示し、各計器類の取付場所が分散しており、各計器を読み取りするには各計器の正面に立つように移動したり姿勢を変えなければならないことから読み取り作業効率が悪いという問題があった。
【０００８】
また、静電場処理装置の庫内の温度、湿度又は電圧などの情報を時系列的に把握したいとき又は現時点のデータを知りたいときは、静電場処理装置のところに行って確認して記録して事務所に帰ってパソコンに記録していかねばならないため保守管理作業の効率が悪いという問題があった。
【０００９】
また、特許文献２には過電流が流れたときの安全対策の記載がなく、特許文献１には、段落［００１０］に高電流が流れたときに電源が遮断することが記載され、特許文献３には、段落［００３６］に過電流が流れるとブザーが鳴り、電源がカットされることが記載されているが、静電場処理装置の近傍に人がいないとブザーを聞くことができない、このため、特許文献２又は特許文献３の考案は、人が異常に気付くまでに時間がかかることがあり、静電場処理装置が正常に作動するまでの時間が長くなり冷蔵保存物の品質が低下するという問題があった。
【００１０】
特許文献１乃至特許文献３に記載の考案のうちいずれかの考案も、万一静電場処理装置のドアを閉め忘れた場合、通報機器の設置が記載されていないので、冷気漏れによって庫内温度が上昇し、冷蔵保存物の品質が低下するという問題があった。
【００１１】
特許文献２に記載の考案は段落［００１６］に野菜や果物を対象としている旨の記載があり、特許文献３に記載の考案は段落［００１１］にみかん、段落［００１５］に米の記載があるが、これらは食品を対象としている。そのため成長過程にある植物を保存するために適した静電場が提供されていないという問題があった。
【００１２】
特許文献１乃至特許文献３に記載の考案のうちいずれの考案も、振とう機などの電気機器を庫内に設置すると前記電気機器の作動が不安定になるという問題があり、人の臓器や血液などを冷蔵保存するのに適さないという問題があった。
【００１３】
そこで、本考案の目的は、生鮮食品や加工食品の長期保存のできる静電場、冷蔵保管庫内に電気機器を設置できて血液を長期保存するための静電場、又は植物の成長を考慮した静電場を造りだすとともに、静電場処理装置の操作の容易化、保守管理作業の効率化、及び静電場処理装置の異常状態に対する迅速な対処ができ品質低下を生じさせない、静電場処理装置を提供することである。
【課題を解決するための手段】
【００１４】
「考案が解決しようとする課題」に記載した課題を解決するために、請求項１に記載の静電場環境を調整・表示するためのタッチパネル７を具備した静電場処理装置１の考案は、静電場発生電源３を備えた冷蔵保管庫２と、前記静電場発生電源３に接続させて冷蔵保管庫２内に配設した電極５と、前記冷蔵保管庫２内に設置するものであって前記電極５との接続部を備えた収納具６と、前記収納具６を絶縁状態に保持する絶縁体１２と、前記冷蔵保管庫２の外面に配設され、静電場環境に影響を与える要素に係る情報を表示する情報表示部６０、６１、６２の画面域と、前記要素に係る設定値を押圧操作により設定可能な操作釦７０、７１表示画面域と、同一画面には詳細表示ができない静電場環境に影響を与える要素に係る情報を表示する情報表示部６３の画面域及び／又は前記要素に係る設定値を押圧操作により設定可能な操作釦７２表示画面域の画面に、押圧操作により画面を切換える要素選択釦８１、８２、８３、８４、８５、８６の表示画面域と、を同一画面に表示するタッチパネル７と、前記冷蔵保管庫２内で前記タッチパネル７に近設させた、静電場環境を調整・表示するためのタッチパネル７を具備した静電場処理装置１の各構成要素を制御する制御部９と、を含む構成要素からなることを特徴とする。
【００１５】
請求項２に記載の静電場環境を調整・表示するためのタッチパネル７を具備した静電場処理装置１の考案は、静電場発生電源３及び電気機器電源４を備えた冷蔵保管庫２と、前記静電場発生電源３及び電気機器電源４からの電源コード１１を前記冷蔵保管庫２内に導入する、前記冷蔵保管庫２内に配設された配線ボックス１０と、前記静電場発生電源３に配線ボックス１０を介して接続させて冷蔵保管庫２内に配設した電極５と、収納容器２１と電気機器本体２３とからなる電気機器２０の電気機器本体２３に絶縁体１２を介して取り付けられ、電極５との接続部を備える収納容器２１、及び前記電気機器電源４に配線ボックス１０を介して接続させた電気機器本体２３を有して冷蔵保管庫２内に配設された電気機器２０と、前記冷蔵保管庫２の外面に配設され、静電場環境に影響を与える要素に係る情報を表示する情報表示部６０、６１、６２の画面域と、前記要素に係る設定値を押圧操作により設定可能な操作釦７０、７１表示画面域と、同一画面には詳細表示ができない静電場環境に影響を与える要素に係る情報を表示する情報表示部６３の画面域及び／又は前記要素に係る設定値を押圧操作により設定可能な操作釦７２表示画面域の画面に、押圧操作により画面を切換える要素選択釦８１、８２、８３、８４、８５、８６の表示画面域と、を同一画面に表示するタッチパネル７と、前記冷蔵保管庫２内で前記タッチパネル７に近設させた、静電場環境を調整・表示するためのタッチパネル７を具備した静電場処理装置１の各構成要素を制御する制御部９と、を含む構成要素からなることを特徴とする。
【００１６】
請求項３に記載の静電場環境を調整・表示するためのタッチパネル７を具備した静電場処理装置１の考案は、請求項１又は２において、過電流による瞬間停止などの予め定めた異常が発生した情報を、専用回線を介して前記制御部９から受信したときに、予め設定した内容を予め設定した受信端末４１に送信する自動通報装置１５を配設したことを特徴とする。
【００１７】
請求項４に記載の静電場環境を調整・表示するためのタッチパネル７を具備した静電場処理装置１の考案は、請求項１乃至３のいずれかにおいて、過電流による瞬間停止や、冷蔵保管庫２の扉４３の閉め忘れなどの予め定めた異常が発生した情報を受信した前記制御部９により、ブザー１７又は予め設定した音声をスピーカー１８により通報する音声告知装置１６を冷蔵保管庫２の外面又は内側に配設したことを特徴とする。
【００１８】
請求項５に記載の静電場環境を調整・表示するためのタッチパネル７を具備した静電場処理装置１の考案は、請求項１乃至４のいずれかにおいて、前記静電場を照射する赤色ＬＥＤ３４及び／又は青色ＬＥＤ３５を配設し、前記タッチパネル７操作により、前記赤色ＬＥＤ３４と青色ＬＥＤ３５のそれぞれの点灯又は消灯を制御できることを特徴とする。
【００１９】
請求項６に記載の静電場環境を調整・表示するためのタッチパネル７を具備した静電場処理装置１の考案は、請求項１乃至５のいずれかにおいて、前記収納具６を絶縁状態に保持する絶縁体１２及び／又は前記電気機器２０の収納容器２１を絶縁状態に保持する絶縁体１２が、小型絶縁碍子１３であることを特徴とする。
【００２０】
請求項７に記載の静電場環境を調整・表示するためのタッチパネル７を具備した静電場処理装置１の考案は、請求項１乃至６のいずれかにおいて、前記電気機器２０が、振とう機本体２４と振とう容器２５からなる振とう機２２であることを特徴とする。
【００２１】
請求項８に記載の静電場環境を調整・表示するためのタッチパネル７を具備した静電場処理装置１の考案は、請求項１乃至７のいずれかにおいて、前記タッチパネル７に表示される操作釦７０、７１、７２が、電場設定、温度設定、湿度設定及び赤色ＬＥＤ３４や青色ＬＥＤ３５の照明の入り切り（図なし）の中から少なくとも１つ以上の操作釦からなることを特徴とする。
【００２２】
請求項９に記載の静電場環境を調整・表示するためのタッチパネル７を具備した静電場処理装置１の考案は、請求項１乃至８のいずれかにおいて、前記タッチパネル７に表示される情報表示部６０、６１、６２、６３が、冷蔵保管庫２内の温度、湿度、電場、冷蔵保管庫２の扉４３開閉履歴、過電流による瞬間停止、及び冷蔵保管庫２の扉４３の閉め忘れなど中から少なくとも１つ以上の情報表示部６０、６１、６２、６３からなることを特徴とする。
【考案の効果】
【００２３】
請求項１に記載の考案は、生鮮食品、加工食品又は植物などを長期冷蔵保存する静電場環境を調整・表示するためのタッチパネル７を具備した静電場処理装置１（以下、静電場処理装置１と記載することもある。）の静電場発生電源３の電場設定、温度設定又は湿度設定がタッチパネル７の操作釦７０、７１，７２を指で押圧することによりできるので、電場、温度又は湿度の設定が容易にでき、またタッチパネル７の画面に電場、温度又は湿度などの表示がされているので、電場設定時などに同じ姿勢で同じ目線で操作ができ、作業効率が向上するという効果を奏する。
【００２４】
また、前記タッチパネル７により、赤色ＬＥＤ３４や青色ＬＥＤ３５の照明の入り切りの操作を行うことができるなど静電場処理装置１を作動させる操作を１箇所のタッチパネル７で行うことができるので、また前記タッチパネル７の位置を人が立って前方を見ながら容易に押圧可能な位置としたので、静電場処理装置１に対する操作についての作業効率が向上するという効果を奏する。
【００２５】
さらに、静電場処理装置の運転、停止、異常及び復帰などの静電場処理装置の作動状況をランプ表示する画面や、冷蔵保管庫２内の温度、湿度、電場、冷蔵保管庫２の扉４３開閉履歴、過電流による瞬間停止、及び冷蔵保管庫２の扉４３の閉め忘れなどの冷蔵保存物４０の品質に影響を与える要素の情報を表示する画面を１つのタッチパネル７の画面に表示させることができるので、静電場処理装置１の保守管理が保守管理ポイントを忘れることなく容易にできるという効果を奏する。
【００２６】
同一画面には詳細表示ができない静電場環境に影響を与える要素に係る情報を表示する情報表示部６３の画面域及び／又は前記要素に係る設定値を押圧操作により設定可能な操作釦７２表示画面域の画面に、押圧操作により画面を切換える要素選択釦８１，８２，８３，８４，８５，８６の表示画面域を設定しているので、同一画面では表示できない要素名が表示された要素選択釦を選択して押圧操作をすることによって選択した要素に係る情報表示や設定値の変更をすることができるという効果を奏する。
【００２７】
前記冷蔵保存物４０の品質に影響を与える要素のデータを、インターネット又は専用回線を介して保守担当者５０のコンピュータに送信するので、保守担当者５０は離れた場所で前記各要素のデータをリアルタイムで把握でき、かつ時系列変化も把握できるので適切な保守管理ができるという効果を奏する。
【００２８】
請求項２に記載の考案は、血液の冷蔵保存には振とう機２２を冷蔵保管庫２内で設置しなければならないような、電気機器２０を冷蔵保管庫２内で設置しなければならない場合において、請求項１に記載の考案と同じ効果を奏する。
【００２９】
請求項３に記載の考案は、請求項１又は２の考案と同じ効果を奏する。さらに、例えば、スパークやリークで設定以上の電流が流れた場合は静電場発生電源３を瞬時に停止させるが、その瞬時に停止させた情報をインターネット環境に接続された自動通報装置１５から予め設定された内容のＥメールを保守担当者５０等に送信することができるので、即座に通報され復旧することによって冷蔵保管庫２内の冷蔵保存物４０の品質低下を防止できるという効果を奏する。
【００３０】
請求項４に記載の考案は、請求項１乃至３のいずれかの考案と同じ効果を奏する。さらに、例えば、冷蔵保管庫２の扉４３の閉め忘れが発生したときに、扉４３の閉め忘れを検知する扉スイッチ４２から閉め忘れ情報を受信して、予め設定した内容をスピーカー１８により告知することにより、冷蔵保管庫２の近傍にいる保守担当者５０に即座に異常の状況を認識させることができ、人的ケアレスミスを防止でき、冷気漏れによって冷蔵保管庫２内の温度上昇で冷蔵保存物４０の鮮度が低下するなどの品質低下を防止でき、また、プレハブ型冷蔵保管庫２においては静電場に関する安全性を向上させることができる。
【００３１】
請求項５に記載の考案は、請求項１乃至４のいずれかの考案と同じ効果を奏する。さらに、赤色ＬＥＤ３４で照明すれば植物の発芽の促進や葉の成長に効果があり、青色ＬＥＤ３５で照明すれば植物の生育の抑制をさせることができるので、保存する植物に合わせてＬＥＤ照明３３の種類を選択できるようにすることによって長期保存や高品質を保証した保存が可能になるという効果を奏する。
【００３２】
請求項６に記載の考案は請求項１乃至５のいずれかの考案と同じ効果を奏する。さらに、小型絶縁碍子１３を使用したことにより、冷蔵保管庫２内のデッドスペースを縮小させることができ、従来よりも多くの内容積を確保できるという効果を奏する。
【００３３】
請求項７に記載の考案は、請求項１乃至６のいずれかの考案と同じ効果を奏する。
【００３４】
請求項８に記載の考案は、請求項１乃至７のいずれかの考案と同じ効果を奏する。
【００３５】
請求項９に記載の考案は、請求項１乃至８のいずれかの考案と同じ効果を奏する。
【図面の簡単な説明】
【００３６】
【図１】本考案である静電場環境を調整・表示するためのタッチパネルを具備した静電場処理装置の全体説明図である。
【図２】静電場環境を調整・表示するためのタッチパネルを具備した静電場処理装置の正面概要図である。
【図３】医療用静電場処理装置の扉を外した状態の正面概要図である。
【図４】医療用静電場処理装置の右側面壁の一部を除去した状態の右側面概要図である。
【図５】医療用静電場処理装置の扉を外した状態の正面概要図である。
【図６】ＬＥＤ照明を設置した静電場処理装置の正面概要図である。
【図７】ＬＥＤ照明を設置した静電場処理装置の扉を外した状態の正面概要図である。
【図８】ＬＥＤ照明を設置した静電場処理装置の右側面壁の一部を除去した状態の右側面概要図である。
【図９】業務用冷蔵庫型の静電場処理装置の全体概要図である。
【図１０】業務用冷蔵庫型の静電場処理装置の全体概要図である。
【図１１】業務用冷蔵庫型の静電場処理装置の全体概要図である。
【図１２】タッチパネルの表示画面の概要図である。
【図１３】タッチパネルの電場設定名が表示された要素選択釦を押圧操作した後に画面が切換えられて表示される画面の概要図である。
【考案を実施するための形態】
【００３７】
図１乃至図５で説明する。本考案である静電場環境を調整・表示するためのタッチパネルを具備した静電場処理装置１は、静電場発生電源３を備えた冷蔵保管庫２と、前記静電場発生電源３に接続させて冷蔵保管庫２内に配設した電極５と、前記冷蔵保管庫２内に設置するものであって前記電極５との接続部を備えた収納具６と、前記収納具６を絶縁状態に保持する絶縁体１２と、前記冷蔵保管庫２の外面に配設され、静電場環境に影響を与える要素に係る情報を表示する情報表示部６０、６１、６２の画面域と、前記要素に係る設定値を押圧操作により設定可能な操作釦７０、７１表示画面域と、同一画面には詳細表示ができない静電場環境に影響を与える要素に係る情報を表示する情報表示部６３の画面域及び／又は前記要素に係る設定値を押圧操作により設定可能な操作釦７２表示画面域の画面に、押圧操作により画面を切換える要素選択釦８１、８２、８３、８４、８５、８６の表示画面域と、を同一画面に表示するタッチパネル７と、前記冷蔵保管庫２内で前記タッチパネル７に近設させた、静電場環境を調整・表示するためのタッチパネルを具備した静電場処理装置１の各構成要素を制御する制御部９と、を含む構成要素からなる。
【００３８】
また、本考案である静電場環境を調整・表示するためのタッチパネル７を具備した静電場処理装置１は、例えば医療用などに使用する振とう機２２などの電気機器２０を冷蔵保管庫２内で使用するために、前記タッチパネル７、前記制御部９、静電場発生電源３及び電気機器電源４を有し、静電場には電気機器２０を設置しないように、前記静電場発生電源３及び電気機器電源４からの電源コード１１を前記冷蔵保管庫２内に導入する、前記冷蔵保管庫２内に配設された配線ボックス１０と、前記静電場発生電源３に配線ボックス１０を介して接続させて冷蔵保管庫２内に配設した電極５と、収納容器２１と電気機器本体２３とからなる電気機器２０の電気機器本体２３に絶縁体１２を介して取り付けられ、電極５との接続部を備える収納容器２１、及び前記電気機器電源４に配線ボックス１０を介して接続させた電気機器本体２３を有して冷蔵保管庫２内に配設された電気機器２０と、を含む構成要素を加えた構成要素からなる。
【００３９】
冷蔵保管庫２は、一般的な業務用冷蔵保管庫とほぼ同じ構造に静電場発生電源３、あるいは静電場発生電源３及び電気機器電源４を加えた構造をしており前記静電場発生電源３は電圧調整機器を備えている。電圧は０〜１０，０００Ｖの範囲で可変できるものとし、静電場発生電源３はタッチパネル７の電場表示部と繋がっている。
【００４０】
配線ボックス１０は、静電場発生電源３と庫内に配設された各電極５、あるいは静電場発生電源３又は電気機器電源４とそれぞれ前記各電極５又は電気機器２０とを結ぶ電源コード１１を収納する容器であり、前記配線ボックス１０は冷蔵保管庫２内の内壁に取り付けられる。
【００４１】
電極５は、静電場発生電源３からの高電圧を導く端子であり、高電圧に印加された電極５を介して冷蔵保存物４０を電場処理するための静電場を発生させる。電極５は、静電場の大きさや形によって、又は静電場の区画数に応じて複数設置され、電極５の材質はアルミニウムなどの導電性材料であればよく、形状は板状、棒状又は帯状など限定されない。
【００４２】
収納具６は、冷蔵保存物４０を収納する容器であり、形状は、棚形状、トレー形状又は箱形状など冷蔵保存物４０が載設できる形状であればよい。そして、前記収納具６は、材質はステンレスなどの導電性を有する材料であればよく、前記収納具６と、冷蔵保管庫２の内壁又は電気機器２０との間には絶縁体１２を設置する。
【００４３】
電気機器２０は、冷蔵保存物４０を保存する場合に静電場に静置するだけでは保存上品質保証が図れない場合、例えば凍結限度をできるだけ低くして血液を保存するために振とうを与えることを要する場合に振とう機２２が使用される。しかし、電気機器２０の駆動部を静電場雰囲気中に設置すると作動不良を生じさせるので、前記駆動部は静電場内に設置せず、冷蔵保存物４０を載置する場所のみを静電場内に存するようにする。
【００４４】
そのため、例えば振とう機２２の場合は、収納容器２１である振とう容器２５は静電場に設置し、駆動部が組み込まれた振とう機本体２４は静電場に設置しないように分離し、振とう容器２５と振とう機本体２４とは絶縁体１２を介して接続される。そして、振とう機２２の作動制御は振とう機コントローラー２６により制御される。
【００４５】
絶縁体１２は、冷蔵保管庫２内壁と収納具６との間、及び収納容器２１である振とう容器２５と、電気機器本体２３である振とう機本体２４との間に介設され、絶縁体１２によって静電場が効果的に形成され、電気機器２０の作動安定化が図れる。また、絶縁体１２として小型絶縁碍子１３を使用しており、これにより冷蔵保管庫２内の内容積を大きくすることができ、冷蔵保存物４０の許容量の大きさを大きくすることができる。
【００４６】
タッチパネル７は冷蔵保管庫２の正面に配設され、図１２又は図１３に示すように、前記タッチパネル７画面上には、冷蔵保管庫２の庫内の静電場環境に影響を与える要素として、電場、温度、湿度、扉開閉履歴、警報履歴、及び棚別状況などの情報表示部６０、６１，６２、６３がそれぞれ区画され表示される。
【００４７】
冷蔵保存物４０に最適な電場や温度の環境を形成させることができるように、電場の設定、温度の設定、湿度の設定、及び赤色ＬＥＤ３４や青色ＬＥＤ３５の照明の入り切りなどの操作をタッチパネル７上に表示された操作釦７０、７１、７２に対する押圧操作により行うことができる。
【００４８】
タッチパネル７の操作釦７０、７１、７２は指の押圧操作によりオンーオフのスイッチ動作を行うものである。例えば、図１２又は図１３に示すように、電場設定の場合で電場の強さを上げる場合には三角印５１の表示部を押圧操作してモータを回転させて電圧調整機器を作動させ、電場の強さを下げる場合には逆三角印５２の表示部を押圧操作してモータを逆回転させて電圧調整機器を作動させる。また、温度調整の場合はタッチパネル７の操作釦７０の三角印又は逆三角印の表示部を押圧操作し設定温度を変えると、制御部９によって自動温度調整され、湿度調整の場合も温度調整の場合と略同一の操作で自動湿度調整される。
【００４９】
さらに、同一画面には表示できない静電場環境に影響を与える要素に対して要素選択釦８１、８２、８３、８４、８５、８６が設定され、それぞれの要素選択釦を押圧操作することによって選択された要素の情報を把握でき、前記要素の設定を変更することができる。なお、これらの要素選択釦は必要な種類及び数を設けることができる。
【００５０】
例えば、電場設定の表示の要素選択釦８１を押圧操作すると、図１３に示すような電場の表示及び電場の設定ができる画面に画面が切り変わり、また警報履歴の表示の要素選択釦８６を押圧操作すると過電流による瞬間停止及び冷蔵保管庫２の扉４３の閉め忘れの履歴などを表示する画面（図示なし）に画面が切り変わり、冷蔵保管庫２の庫内の静電場環境に影響を与える要素をタッチパネル７画面上に表示させることができる。
【００５１】
冷蔵保管庫２の庫内の静電場環境に影響を与える要素には検出器を配設しており、電場には電圧計、温度には温度計、湿度には湿度計、又は扉４３開閉履歴には扉スイッチ４２としてのマイクロスイッチなど維持管理する要素を測定又は検出する検出器を配設する。
【００５２】
制御部９は、タッチパネル７の近傍に配設され、前記検出器等からの入力情報やタッチパネル７の操作釦７０、７１，７２の押圧操作からの入力情報を受け、タッチパネル７の情報表示部６０、６１、６２，６３に対して情報を出力するとともに、押圧操作された要素の設定を変更させる電圧調整機器、冷蔵機器又は湿度調整機器に指令を出す。
【００５３】
制御部９からの出力情報を受けたタッチパネル７の情報表示部６０、６１、６２，６３には、前記制御部９からの出力情報により、温度、湿度、電場、冷蔵保管庫２の扉開閉履歴、過電流による瞬間停止、及び冷蔵保管庫２の扉４３の閉め忘れなどの表示がなされる。
【００５４】
冷蔵保管庫２の正面側に配設させたタッチパネル７に、電場や温度などの静電場処理装置１の管理上に必要なデータを表示するので、保守担当者５０などは保守管理上で必要なデータを容易に把握することができる。
【００５５】
また、制御部９は、温度昇降又はＬＥＤ照明３３の入り切りの入力情報、静電場に係る電圧計からの入力情報、冷蔵保管庫２内の静電場の温度計や湿度計からの入力情報、冷蔵保管庫２の扉用開口部縁部に設置された扉スイッチ４２からの情報又は瞬間停止などの異常情報を入力されると、電場や温度などの制御、並びに自動通報装置１５、スピーカー１８及び／又はブザー１７などの警報機への送信などを行う。
【００５６】
また、制御部９は、電場、温度、湿度、冷蔵保管庫２の扉４３の開閉履歴、及び／又は異常情報などの電子データをパソコンに送信するので、保守担当者５０などは電場の現在データや過去からの推移データなど静電場処理装置１のデータから効果的な保守管理を行うことができる。
【００５７】
自動通報装置１５は、冷蔵保管庫２の外面又は内側に配設され、過電流による瞬間停止などの予め定めた異常が発生した情報を、専用回線を介して前記制御部９から受信したときに、予め設定した内容を予め設定した、保守担当者５０などが使用するパソコンや携帯電話などの受信端末４１に専用回線又はインターネットを介して送信する。
【００５８】
これにより、異常が発生したときに、冷蔵保管庫２から離れた場所にいる保守担当者５０などにＥメールなどでリアルタイムに異常内容を告知することができるので、冷蔵保管庫２の冷蔵運転停止時間及び静電場発生停止時間を短縮でき、冷蔵保存物４０の品質低下を防止することができる。
【００５９】
ブザー１７、又は予め設定した音声をスピーカー１８により通報する音声告知装置１６は、冷蔵保管庫２の外面又は内側に設置され、過電流による瞬間停止や、冷蔵保管庫２の扉４３の閉め忘れなどの予め定めた異常が発生した情報を受信した制御部９からの作動指示回路を介して作動する。
【００６０】
これにより、冷蔵保管庫２の近傍にいる保守担当者５０などに異常をリアルタイムで告知できるので、冷蔵保管庫２の冷蔵運転停止時間及び静電場発生停止時間を短縮でき、冷蔵保存物４０の品質低下を防止する。
【００６１】
図６乃至図８で説明する。赤色ＬＥＤ３４又は青色ＬＥＤ３５は各棚３０下部又は冷蔵保管庫内天井部３２に絶縁体１２である小型絶縁碍子１３を介設させて吊設される。赤色ＬＥＤ３４で照明すれば発芽の促進や葉の成長など植物の生育の促進に効果があり、青色ＬＥＤ３５で照明すれば植物の生育の抑制作用があることから、トレー３１上に載設した植物の生育状況に応じて色を変えられるように制御する。
【００６２】
次に、図９、図１０又は図１１に示す静電場環境を調整・表示するためのタッチパネルを具備した静電場処理装置１は、図２又は図６に示した以外の本考案の実施例であり、それぞれタッチパネル７、制御部９、自動通報装置１５、音声告知装置１６を有しており、冷蔵保存物４０に応じて配線ボックス１０又はＬＥＤ照明３３を有する。なお、本考案は実施例により限定されるものでない。
【００６３】
図９に示す実施例は、静電場環境を調整・表示するためのタッチパネルを具備した静電場処理装置１の内側を上下２段に分割したものであり、それぞれ電場の強さが異なる静電場を設けることができる。
【００６４】
図１０に示す静電場環境を調整・表示するためのタッチパネルを具備した静電場処理装置１は、大型の静電場処理装置１であり、前記装置の内側を横方向で分割したものであり、それぞれ電場の強さが異なる静電場を設けることができる。
【００６５】
図１１に示す静電場環境を調整・表示するためのタッチパネルを具備した静電場処理装置１は、大型の静電場処理装置１であり、同じ強さの電場又は温度などの条件の下で多くの冷蔵保存物４０を保存することができる。
【符号の説明】
【００６６】
１      静電場環境を調整・表示するためのタッチパネルを具備した静電場処理装置
２      冷蔵保管庫
３      静電場発生電源
４      電気機器電源
５      電極
６      収納具
７      タッチパネル
９      制御部
１０    配線ボックス
１１    電源コード
１２    絶縁体
１３    小型絶縁碍子
１５    自動通報装置
１６    音声告知装置
１７    ブザー
１８    スピーカー
２０    電気機器
２１    収納容器
２２    振とう機
２３    電気機器本体
２４    振とう機本体
２５    振とう容器
２６    振とう機コントローラー
３０    棚
３１    トレー
３２    天井部
３３    ＬＥＤ照明
３４    赤色ＬＥＤ
３５    青色ＬＥＤ
４０    冷蔵保存物
４１    受信端末
４２    扉スイッチ
４３    扉
５０    保守担当者
５１    三角印
５２    逆三角印
６０    情報表示部
６１    情報表示部
６２    情報表示部
６３    情報表示部
７０    操作釦
７１    操作釦
７２    操作釦
８１    要素選択釦
８２    要素選択釦
８３    要素選択釦
８４    要素選択釦
８５    要素選択釦
８６    要素選択釦
【図１】
0003165951.tif 000003
【図２】
0003165951.tif 000004
【図３】
0003165951.tif 000005
【図４】
0003165951.tif 000006
【図５】
0003165951.tif 000007
【図６】
0003165951.tif 000008
【図７】
0003165951.tif 000009
【図８】
0003165951.tif 000010
【図９】
0003165951.tif 000011
【図１０】
0003165951.tif 000012
【図１１】
0003165951.tif 000013
【図１２】
0003165951.tif 000014
【図１３】
0003165951.tif 000015